【手続補正書】
【提出日】平成18年5月31日(2006.5.31)
【手続補正１】
【補正対象書類名】明細書
【補正対象項目名】特許請求の範囲
【補正方法】変更
【補正の内容】
【特許請求の範囲】
【請求項１】
導電膜と、第１乃至第４のトランジスタと、を各画素に有し、
前記第１のトランジスタによって、前記第２のトランジスタのゲート及び前記第３のトランジスタのゲートへのビデオ信号の入力が制御され、
前記第２のトランジスタ及び前記第３のトランジスタは、前記ビデオ信号の電位に従って、一方がオンのとき他方がオフとなるようにスイッチングが制御され、
前記第２のトランジスタと前記第３のトランジスタはドレインが互いに接続されており、
前記第２のトランジスタのソースには２値の電位が与えられ、
前記第３のトランジスタのソース及び前記第４のトランジスタのソースには、同電位が与えられ、
前記第３のトランジスタ及び前記第４のトランジスタは、同じ極性を有しており、
前記第４のトランジスタは、前記第２及び前記第３のトランジスタのドレインの電位に従って、前記導電膜に供給する電流を制御することを特徴とする素子基板。
【請求項２】
導電膜と、第１乃至第４のトランジスタと、を各画素に有し、
前記第１のトランジスタによって、前記第２のトランジスタのゲート及び前記第３のトランジスタのゲートへの、ビデオ信号の入力が制御され、
前記第２のトランジスタと前記第３のトランジスタはドレインが互いに接続されており、
前記第２のトランジスタのソースには、第１または第２の電位が与えられ、
前記第３のトランジスタのソース及び前記第４のトランジスタのソースには、第３の電位が与えられ、
前記第２のトランジスタ及び前記第３のトランジスタは、互いに極性が異なっており、
前記第３のトランジスタ及び前記第４のトランジスタは、同じ極性を有しており、
前記第４のトランジスタは、前記第２及び前記第３のトランジスタのドレインの電位に従って、前記導電膜に供給する電流を制御することを特徴とする素子基板。
【請求項３】
導電膜と、第１乃至第４のトランジスタと、信号線と、第１の走査線と、第２の走査線と、電源線と、を各画素に有し、
前記第１のトランジスタのゲートは前記第１の走査線に接続されており、
前記第１のトランジスタによって、前記信号線と、前記第２のトランジスタのゲート及び前記第３のトランジスタのゲートとの接続が制御され、
前記第２のトランジスタと前記第３のトランジスタはドレインが互いに接続されており、
前記第２のトランジスタのソースは、前記第２の走査線に接続されることで、２値の電位が与えられ、
前記第３のトランジスタのソース及び前記第４のトランジスタのソースは、前記電源線に接続されており、
前記第２のトランジスタ及び前記第３のトランジスタは、互いに極性が異なっており、
前記第３のトランジスタ及び前記第４のトランジスタは、同じ極性を有しており、
前記第４のトランジスタは、前記第２及び前記第３のトランジスタのドレインの電位に従って、前記導電膜に供給する電流を制御することを特徴とする素子基板。
【請求項４】
導電膜と、第１乃至第４のトランジスタと、信号線と、第１の走査線と、第２の走査線と、第１の電源線と、第２の電源線とを各画素に有し、
前記第１のトランジスタのゲートは前記第１の走査線に接続されており、
前記第１のトランジスタによって、前記信号線と、前記第２のトランジスタのゲート及び前記第３のトランジスタのゲートとの接続が制御され、
前記第２のトランジスタと前記第３のトランジスタはドレインが互いに接続されており、
前記第２のトランジスタのソースは、前記第２の走査線に接続されることで、２値の電位が与えられ、
前記第３のトランジスタのソースは、前記第１の電源線に接続されており、
前記第４のトランジスタのソースは、前記第２の電源線に接続されており、
前記第２のトランジスタ及び前記第３のトランジスタは、互いに極性が異なっており、
前記第３のトランジスタ及び前記第４のトランジスタは、同じ極性を有しており、
前記第４のトランジスタは、前記第２及び前記第３のトランジスタのドレインの電位に従って、前記導電膜に供給する電流を制御することを特徴とする素子基板。
【請求項５】
請求項１乃至請求項４のいずれか１項において、前記第４のトランジスタは飽和領域で動作することを特徴とする素子基板。
【請求項６】
請求項１乃至請求項５のいずれか１項において、
前記第４のトランジスタは、そのチャネル幅に対するチャネル長の比が５以上であることを特徴とする素子基板。
【請求項７】
請求項１乃至請求項６のいずれか１項に記載の素子基板を用いて形成された発光装置であって、
前記発光装置は、画素電極に相当する前記導電膜と、対向電極と、前記画素電極と前記対向電極の間に設けられた前記電界発光層とでなる発光素子を有することを特徴とする発光装置。
【請求項８】
請求項７において、前記発光素子が有する前記画素電極と前記対向電極は、前記画素電極と前記対向電極の間に挟まれている前記電界発光層において発生した光を透過することを特徴とする発光装置。
【手続補正２】
【補正対象書類名】明細書
【補正対象項目名】００２８
【補正方法】変更
【補正の内容】
【００２８】
なお本発明では、駆動用トランジスタ１０３を飽和領域で、スイッチング用トランジスタ１０１、第１及び第２の電流制御用トランジスタ１０２ａ、１０２ｂを線形領域で動作させる。また、駆動用トランジスタ１０３のチャネル長Ｌをチャネル幅Ｗより長くし、より望ましくは、駆動用トランジスタ１０３のＷに対するＬの比が５以上にするとよい。上記構成によって、駆動用トランジスタ１０４の特性の違いに起因する、画素間における発光素子１０１の輝度のばらつきを抑えることができる。また第１及び第２の電流制御用トランジスタ１０２ａ、１０２ｂは、Ｌを、Ｗと同じかＷより短くするのが望ましい。
【手続補正３】
【補正対象書類名】明細書
【補正対象項目名】００４０
【補正方法】変更
【補正の内容】
【００４０】
また図２（Ｂ）に示すように、書き込み期間において、第１の電流制御用トランジスタ１０２ａがオフ、第２の電流制御用トランジスタ１０２ｂをオンさせた後、保持期間を経て、消去期間を設ける場合、第１の電流制御用トランジスタ１０２ａのソースの電位は第２の電位、第２の電流制御用トランジスタ１０２ｂのソースの電位は電源線Ｖｉの電位（第３の電位）である。よって第１及び第２の電流制御用トランジスタ１０２ａ、１０２ｂのいずれがオンしても、駆動用トランジスタ１０３のゲートはオフのままなので、消去期間においても発光素子１０４は発光しない状態を維持する。
【手続補正４】
【補正対象書類名】明細書
【補正対象項目名】００５１
【補正方法】変更
【補正の内容】
【００５１】
また図６に示す画素は、図１に示す画素と同様に、その動作を書き込み期間、保持期間、消去期間とに分けて説明することができる。
【手続補正５】
【補正対象書類名】明細書
【補正対象項目名】００８３
【補正方法】変更
【補正の内容】
【００８３】
電源回路９０３では、パネル９００、コントローラ９０１、ＣＰＵ９０２、音声処理回路９２９、メモリ９１１、送受信回路９０４に与える電源電圧が生成される。またパネルの仕様によっては、電源回路９０３に電流源が備えられている場合もある。
【手続補正６】
【補正対象書類名】明細書
【補正対象項目名】００８４
【補正方法】変更
【補正の内容】
【００８４】
ＣＰＵ９０２は、制御信号生成回路９２０、デコーダ９２１、レジスタ９２２、演算回路９２３、ＲＡＭ９２４、ＣＰＵ用のインターフェース９３５などを有している。インターフェース９３５を介してＣＰＵ９０２に入力された各種信号は、一旦レジスタ９２２に保持された後、演算回路９２３、デコーダ９２１などに入力される。演算回路９２３では、入力された信号に基づき演算を行ない、各種命令を送る場所を指定する。一方デコーダ９２１に入力された信号はデコードされ、制御信号生成回路９２０に入力される。制御信号生成回路９２０は入力された信号に基づき、各種命令を含む信号を生成し、演算回路９２３において指定された場所、具体的にはメモリ９１１、送受信回路９０４、音声処理回路９２９、コントローラ９０１などに送る。
【手続補正７】
【補正対象書類名】明細書
【補正対象項目名】００８５
【補正方法】変更
【補正の内容】
【００８５】
メモリ９１１、送受信回路９０４、音声処理回路９２９、コントローラ９０１は、それぞれ受けた命令に従って動作する。以下その動作について簡単に説明する。
【手続補正８】
【補正対象書類名】明細書
【補正対象項目名】００８７
【補正方法】変更
【補正の内容】
【００８７】
コントローラ９０１は、パネルの仕様に合わせてＣＰＵ９０２から送られてきた画像データを含む信号にデータ処理を施し、パネル９００に供給する。またコントローラ９０１は、電源回路９０３から入力された電源電圧やＣＰＵから入力された各種信号をもとに、Ｈｓｙｎｃ信号、Ｖｓｙｎｃ信号、クロック信号ＣＬＫ、交流電圧（ＡＣ  Ｃｏｎｔ）、切り替え信号Ｌ／Ｒを生成し、パネル９００に供給する。
【手続補正９】
【補正対象書類名】明細書
【補正対象項目名】００９９
【補正方法】変更
【補正の内容】
【００９９】
第１の電源線Ｖｉに与えられる第３の電位と、第２の電源線Ｗｉに与えられる第４の電位は、第２の電流制御用トランジスタ７０２ｂがオンになったときに、駆動用トランジスタ７０３がオフになるような高さを有している。また電源線Ｖｉに与えられる第３の電位と発光素子７０４の対向電極に与えられる電位は、駆動用トランジスタ７０３がオンのときに、発光素子７０４に順方向バイアスの電流が供給される程度の高さに設定する。
【手続補正１０】
【補正対象書類名】明細書
【補正対象項目名】０１００
【補正方法】変更
【補正の内容】
【０１００】
また図１３に示す画素は、図１に示す画素と同様に、その動作を書き込み期間、保持期間、消去期間とに分けて説明することができる。
【手続補正１１】
【補正対象書類名】図面
【補正対象項目名】図１０
【補正方法】変更
【補正の内容】
【図１０】
2005003868.tif 000001